(57)【要約】  情報処理装置は、表示画面を表示する表示部と、前記表示部の表示画面に対する指定操作を受け付ける操作部と、前記操作部に対する予め決められた指定操作を禁止するロック機能が有効である状態において、前記ロック機能の解除要求に基づいて、予め決められた情報処理機能に対応する指標を含むロック解除用画面を前記表示部に表示させるとともに、前記指標に対する指定操作を受け付ける状態に前記操作部を制御する制御部と、を備える。前記制御部は、前記操作部を介して前記ロック解除用画面に入力される前記ロック機能の解除を示す指定操作を受け付けた場合に前記ロック機能を解除するロック解除操作が入力されたことを判定する。前記制御部は、前記操作部を介して前記指標に対する前記情報処理機能の実行を示す指示操作を受け付けた場合に前記指標に対応する情報処理機能の起動操作が入力されたことを判定する。
2013133007.tif 000002
【特許請求の範囲】
【請求項１】
表示画面を表示する表示部と、
前記表示部の表示画面に対する指定操作を受け付ける操作部と、
前記操作部に対する予め決められた指定操作を禁止するロック機能が有効である状態において、前記ロック機能の解除要求に基づいて、予め決められた情報処理機能に対応する指標を含むロック解除用画面を前記表示部に表示させるとともに、前記指標に対する指定操作を受け付ける状態に前記操作部を制御する制御部と、を備え、
前記制御部は、前記操作部を介して前記ロック解除用画面に入力される前記ロック機能の解除を示す指定操作を受け付けた場合に前記ロック機能を解除するロック解除操作が入力されたことを判定し、
前記制御部は、前記操作部を介して前記指標に対する前記情報処理機能の実行を示す指示操作を受け付けた場合に前記指標に対応する情報処理機能の起動操作が入力されたことを判定する情報処理装置。
【請求項２】
前記ロック解除用画面は、第１の操作画面領域と、前記第１の操作画面領域と少なくとも一部が異なる第２の操作画面領域とを含み、
前記制御部は、前記第１の操作画面領域に対する操作を検出した場合、前記起動操作が入力されたことを判定し、
前記制御部は、前記第２の操作画面領域に対する操作を検出した場合、前記ロック解除操作が入力されたことを判定する請求項１に記載の情報処理装置。
【請求項３】
前記制御部は、前記ロック解除用画面に対して第１の方向に操作体を向ける動きを前記操作部が検出した場合、前記起動操作が入力されたことを判定し、
前記制御部は、前記ロック解除用画面に対して前記第１の方向と異なる第２の方向に前記操作体を向ける動きを前記操作部が検出した場合、前記ロック解除操作が入力されたことを判定する請求項１または２に記載の情報処理装置。
【請求項４】
前記制御部は、
前記指標に対する前記起動操作が入力された場合、前記指標に対応する前記情報処理機能を実行するとともに、前記ロック機能を解除する請求項１から３のうちいずれか一項に記載の情報処理装置。
【請求項５】
前記制御部は、
前記ロック解除用画面において予め決められた基準始点領域に前記指標が位置している状態において前記指標が指定され、前記指定された指標に対して予め決められた方向に操作体を向ける動きを前記操作部が検出した場合、前記起動操作が入力されたことを判定する請求項１から４のうちいずれか一項に記載の情報処理装置。
【請求項６】
前記制御部は、
前記ロック解除用画面において予め決められた始点から終点まで前記指標を直線的に移動させる動きを前記操作部が検出した場合、前記起動操作が入力されたことを判定する請求項１から５のうちいずれか一項に記載の情報処理装置。
【請求項７】
前記制御部が起動操作と判定する操作の軌跡と、前記制御部が前記ロック解除操作と判定する操作の軌跡とが、交差する位置関係である請求項１から６のうちいずれか一項に記載の情報処理装置。
【請求項８】
前記表示部の前記ロック解除用画面は、前記指標に対応する前記情報処理機能に関連する関連情報を表示する請求項１から７のうちいずれか一項に記載の情報処理装置。
【請求項９】
前記制御部は、
前記指標に対して前記起動操作が入力された場合、前記指標に対応する情報処理機能の実行を許可された利用者であることを証明する認証情報を参照して、前記ロック解除用画面に入力される操作が前記利用者による操作であることの認証を行う請求項１から７のうちいずれか一項に記載の情報処理装置。
【請求項１０】
前記制御部は、
前記指標に対して前記起動操作が入力された場合に前記認証を実行することが予め決められている場合、前記ロック解除用画面に表示される情報の一部を制限する請求項９に記載の情報処理装置。
【請求項１１】
前記制御部は、
前記指標に対して前記起動操作が入力された場合に前記認証を実行することが予め決められている場合、前記指標の表示態様を前記指標に対応する前記情報処理機能の内容に関連する情報を制限する表示態様に変更する請求項９あるいは１０に記載の情報処理装置。
【請求項１２】
前記制御部は、
前記ロック解除用画面に表示されている前記指標に対して予め決められた方向に操作体を向ける動きを前記起動操作として入力する場合、前記指標からみて前記予め決められた方向に前記予め決められた方向を示す表示をする請求項１から１１のうちいずれか一項に記載の情報処理装置。
【請求項１３】
前記制御部は、
前記指標に対して予め決められた方向に操作体を向ける動きを検出した場合、前記予め決められた方向を示す表示を非表示にする請求項１２に記載の情報処理装置。
【請求項１４】
前記制御部は、
前記予め決められた方向を示す表示として、前記指標からみて前記予め決められた方向に現在の時刻を示す情報である請求項１３に記載の情報処理装置。
【請求項１５】
前記制御部は、
記憶部に記憶されているコンテンツの画像あるいは動画像を前記ロック解除用画面に表示させる請求項１から１４のうちいずれか一項に記載の情報処理装置。
【請求項１６】
前記制御部は、
複数の前記指標が浮遊している様子を表示するアニメーションを前記ロック解除用画面に表示させる請求項１から１５のうちいずれか一項に記載の情報処理装置。
【請求項１７】
表示部の表示画面に対する指定操作を受け付ける操作部に対する指定操作を禁止するロック機能が有効である状態において、前記ロック機能の解除要求に基づいて、予め決められた情報処理機能に対応する指標を含むロック解除用画面を前記表示部に表示させ、
前記操作部を介して前記ロック解除用画面に入力される前記ロック機能の解除を示す指定操作を受け付けた場合に前記ロック機能を解除するロック解除操作が入力されたことを判定し、
前記操作部を介して前記指標に対する前記情報処理機能の実行を示す指示操作を受け付けた場合に前記指標に対応する情報処理機能の起動操作が入力されたことを判定する、
ことを備える情報処理方法。
【請求項１８】
コンピュータを、
表示画面を表示する表示部、
前記表示部の表示画面に対する指定操作を受け付ける操作部、
前記操作部に対する指定操作を禁止するロック機能が有効である状態において、前記ロック機能の解除要求に基づいて、予め決められた情報処理機能に対応する指標を含むロック解除用画面を前記表示部に表示させるとともに、前記指標に対する指定操作を受け付ける状態に前記操作部を制御し、
前記ロック解除用画面を表示している状態において前記操作部を介して前記ロック機能の解除を示す指定操作を受け付けた場合に前記ロック機能を解除するロック解除操作が入力されたことを判定し、
前記ロック解除用画面を表示している状態において前記操作手段を介して前記指標に対する前記情報処理機能の実行を示す指示操作を受け付けた場合に前記指標に対応する情報処理機能の起動操作が入力されたことを判定する制御部
として機能させるための情報処理プログラム。
【発明の詳細な説明】
【技術分野】
【０００１】
本発明は、情報処理装置、情報処理方法、および情報処理プログラムに関する。
【背景技術】
【０００２】
近年、スマートフォンやタブレット型端末等の携帯端末が普及している。この携帯端末としてタッチパネルを備える端末が多い。誤操作による誤動作を防止するため入力する操作を制限するロック機能を備える端末がある。
例えば、ロック機能が発揮されている状態（以下、ロック状態という）において、ロック解除アイコンを表示したロック解除用画面をタッチパネルに表示する端末がある。ユーザが、ロック解除アイコンを特定の位置まで移動させる操作を行うことにより、端末は、ロック状態を解除する（例えば、特許文献１参照）。
また、この特許文献１の端末のように、ロック状態において、例えば、現在の時刻や待ち受け画面を表示する端末がある。これにより、ユーザは、ロック状態を解除する操作を実行しなくても、現在の時刻を認識することができる。
【先行技術文献】
【特許文献】
【０００３】
【特許文献１】日本国特開２０１０−５４１０４６号公報
【発明の概要】
【発明が解決しようとする課題】
【０００４】
しかしながら、ロック状態において、例えばメールを受信した場合、ロック状態を解除する操作をした後、受信したメールを閲覧するための操作をし、受信したメールを表示するアプリケーションを起動させる必要があった。このため、ユーザの操作性が悪く、面倒であった。【０００５】
本発明の目的の一例は、上記の課題を解決することができる情報処理装置、情報処理方法、およびプログラムを提供することである。
【課題を解決するための手段】
【０００６】
本発明の一態様による情報処理装置は、表示画面を表示する表示部と、前記表示部の表示画面に対する指定操作を受け付ける操作部と、前記操作部に対する予め決められた指定操作を禁止するロック機能が有効である状態において、前記ロック機能の解除要求解除要求に基づいて、予め決められた情報処理機能に対応する指標を含むロック解除用画面を前記表示部に表示させるとともに、前記指標に対する指定操作を受け付ける状態に前記操作部を制御する制御部と、を備える。前記制御部は、前記操作部を介して前記ロック解除用画面に入力される前記ロック機能の解除を示す指定操作を受け付けた場合に前記ロック機能を解除するロック解除操作が入力されたことを判定する。前記制御部は、前記操作部を介して前記指標に対する前記情報処理機能の実行を示す指示操作を受け付けた場合に前記指標に対応する情報処理機能の起動操作が入力されたことを判定する。【０００７】
本発明の一態様による情報処理方法は、表示部の表示画面に対する指定操作を受け付ける操作部に対する指定操作を禁止するロック機能が有効である状態において、前記ロック機能の解除要求に基づいて、予め決められた情報処理機能に対応する指標を含むロック解除用画面を前記表示部に表示させ、前記操作部を介して前記ロック解除用画面に入力される前記ロック機能の解除を示す指定操作を受け付けた場合に前記ロック機能を解除するロック解除操作が入力されたことを判定し、前記操作部を介して前記指標に対する前記情報処理機能の実行を示す指示操作を受け付けた場合に前記指標に対応する情報処理機能の起動操作が入力されたことを判定することを備える。【０００８】
本発明の一態様による情報処理プログラムは、コンピュータを、表示画面を表示する表示部、前記表示部の表示画面に対する指定操作を受け付ける操作部、前記操作部に対する指定操作を禁止するロック機能が有効である状態において、前記ロック機能の解除要求に基づいて、予め決められた情報処理機能に対応する指標を含むロック解除用画面を前記表示部に表示させるとともに、前記指標に対する指定操作を受け付ける状態に前記操作部を制御し、前記ロック解除用画面を表示している状態において前記操作部を介して前記ロック機能の解除を示す指定操作を受け付けた場合に前記ロック機能を解除するロック解除操作が入力されたことを判定し、前記ロック解除用画面を表示している状態において前記操作部を介して前記指標に対する前記情報処理機能の実行を示す指示操作を受け付けた場合に前記指標に対応する情報処理機能の起動操作が入力されたことを判定する制御部として機能させるための情報処理プログラムである。
【発明の効果】
【０００９】
本発明によれば、ロック状態において予め決められた情報処理機能の起動を指示することができる。
【図面の簡単な説明】
【００１０】
【図１】本発明の第１実施形態に係る情報処理システムの概略構成の一例を示す図である。
【図２】本発明の第１実施形態に係る情報処理装置（携帯端末）の構成の一例を示すブロック図である。
【図３】本発明の第１実施形態に係る情報処理装置（携帯端末）に表示されるロック解除用画面の一例を示す図である。
【図４】本発明の第１実施形態に係る情報処理装置（携帯端末）に表示されるロック解除用画面内の操作領域の一例を示す図である。
【図５】本発明の第１実施形態に係る情報処理装置（携帯端末）に表示されるロック解除用画面内の操作領域の他の例を示す図である。
【図６】本発明の第１実施形態に係る情報処理装置（携帯端末）に表示されるロック解除用画面内の操作領域の他の例を示す図である。
【図７】本発明の第１実施形態に係る情報処理装置（携帯端末）に表示されるロック解除用画面の遷移の一例を示す図である。
【図８】本発明の第１実施形態に係る情報処理装置（携帯端末）の動作処理の一例を示すフローチャートである。
【図９】本発明の第２実施形態に係る情報処理装置（携帯端末）に表示されるロック解除用画面の一例を示す図である。
【図１０】本発明の第２実施形態に係る情報処理装置（携帯端末）に表示されるロック解除用画面内の操作領域の一例を示す図である。
【図１１】本発明の第４実施形態に係る情報処理装置（携帯端末）に表示されるロック解除用画面の一例を示す図である。
【図１２】本発明の実施形態に係る情報処理装置の最小限の構成の一例を示す図である。
【発明を実施するための形態】
【００１１】
［第１実施形態］
以下、図面を参照して本発明の第１実施形態について説明する。図１は、本発明の第１実施形態に係る情報処理システムの概要を示す図である。
本実施形態においては、情報処理装置が携帯端末１である場合を例示する。図１は、この携帯端末１が利用可能な通信ネットワークシステムを示した概略図である。しかし、本実施系形態はこれに限られない。情報処理装置は、スマートフォン、携帯ゲーム機、ＰＤＡ（Ｐｅｒｓｏｎａｌ Ｄｉｇｉｔａｌ Ａｓｓｉｓｔａｎｔ）、タブレット型ＰＣ（Ｐｅｒｓｏｎａｌ Ｃｏｍｐｕｔｅｒ）、あるいは、ノート型ＰＣ等であってもよい。
携帯端末１は、例えば、通話機能、電子メール機能、インターネット接続機能（Ｗｅｂアクセス機能）、デジタルテレビ放送（例えば、ワンセグ地上デジタルテレビ放送）を受信して視聴が可能なテレビ機能などが備えていてもよい。
【００１２】
携帯端末１は、最寄りの基地局２Ａと交換機２Ｂとを介して、無線通信網（移動体通信網）２に接続される。携帯端末１は、無線通信網２に接続されると、この無線通信網２を介して他の携帯端末３との間で通話可能な状態となる。携帯端末１は、無線通信網２を介してインターネット４に接続される。携帯端末１は、インターネット４に接続されると、Ｗｅｂサイトにアクセスしてそのサイトを閲覧可能となる。また、携帯端末１は、サーバ５から動画、静止画、音楽、ニュース、音楽などのマルチメディアのコンテンツをインターネット４、無線通信網２を介してダウンロードして再生するストリーミングが可能となる。
【００１３】
図２は、携帯端末１の基本的な構成要素を示したブロック図である。
携帯端末１は、タッチパネル１０１と、制御部１０２と、記憶部１０３と、音信号処理部１０４と、通信部１０５と、タイマー１０６とを備える。
タッチパネル１０１は、操作部１１１と表示部１１２とを含む。
以下において、タッチパネル１０１の操作部１１１に対する予め決められた指定操作を禁止するロック機能が有効である状態をロック状態という。
この携帯端末１は、ロック状態において、タッチパネル１０１以外の操作手段（例えば、電源スイッチやその他操作ボタン等）からロック機能の解除要求を受け付ける。この場合、携帯端末１は、ロック機能を有効にしたまま、ロック解除用画面を表示するとともに、ロック解除操作と所定の情報処理機能の起動操作を受け付けることができる。
つまり、携帯端末１は、ロック機能が有効であるロック状態においても、ロック解除用画面を表示するとともに、ロック解除操作と所定の情報処理機能の起動操作を受け付けるロック解除受付機能を発揮することが可能である。
具体的に説明すると、携帯端末１は、ロック状態においてロック機能の解除要求を受け付けた場合、タッチパネル１０１の検出手段を活性化させるとともに、ロック解除用画面をタッチパネル１０１に表示させる。携帯端末１は、ロック解除用画面に対するロック解除操作と予め決められた情報処理機能を起動操作とを判別して、両操作を受け付ける。例えば、ロック解除用画面に対しロック機能を解除するロック解除操作が入力された場合、携帯端末１は、ロック機能を解除する。これにより、携帯端末１は、非ロック状態となる。一方、ロック解除画面に対して、予め決められた情報処理機能の起動操作が入力された場合、携帯端末１は、指定された情報処理機能を実行する。
【００１４】
上述の通り、ロック状態とは、タッチパネル１０１の操作部１１１に対する予め決められた指定操作の受け付けを禁止している状態をいう。本実施形態におけるロック状態では、タッチパネル１０１以外の操作手段（例えば、電源スイッチやその他操作ボタン等）からロック機能の解除要求を受け付ける前と後で、禁止される指示操作が変化する。
具体的に説明すると、ロック機能の解除要求前のロック状態では、タッチパネル１０１に何ら画像が表示されておらず、タッチパネル１０１の検出手段が全て不活性化状態であり表示画面の全領域に対する操作が制限される。つまり、ロック機能の解除要求前のロック状態では、タッチパネル１０１の表示部（表示手段）１１２および操作部（検知手段）１１１が、共にオフした状態である。このロック機能の解除要求前のロック状態では、タッチパネル１０１に対する全ての指示操作が禁止されている。
ロック機能の解除要求後のロック状態では、タッチパネル１０１にロック解除用画面が表示されるとともに、このロック解除用画面に対してタッチパネル１０１介して入力されるロック解除操作と予め決められた情報処理機能の起動操作とを受け付ける。つまり、タッチパネル１０１に対して入力可能な操作のうちロック解除操作と予め決められた情報処理機能以外の操作入力が制限されている。
本実施形態において、ロック機能の解除要求後のロック状態である場合、携帯端末１は、タッチパネル１０１に表示されているロック解除用画面の全領域において指が接触しているか否かを検知する検知手段は活性化された状態である。携帯端末１の構成は、これに限られない。ロック機能の解除要求後のロック状態において、タッチパネル１０１の全体画面のうち予め決められた一部の領域である操作画面に入力される操作を受け付け、タッチパネル１０１の全体画面のうち操作画面以外の領域に対する操作入力が制限されてもよい。
非ロック状態とは、ロック機能が無効である状態であって、ロック機能が有効であるロック状態において制限されていた操作入力の制限が解除された状態をいう。本実施形態において、非ロック状態である場合、携帯端末１は、タッチパネル１０１の全体画面において入力される指示操作の全てを受け付ける。
【００１５】
操作部１１１は、ユーザからの操作を受け付けるセンサーを備える。操作部１１１は、センサーによる検出結果を制御部１０２に出力する。本実施形態において、操作部１１１は、操作画面に接触する操作手段（操作体、例えば指）の接触位置を、一定の時間間隔ごとに、センサーにより検出し、このセンサーの検出結果を出力する。本実施形態の操作部１１１は、この構成に限られない。例えば、操作部１１１は、操作画面に近接するユーザの指や操作ペン等の操作指示手段の位置を非接触センサーにより検出してもよい。
表示部１１２は、制御部１０２の制御に応じた表示内容を表示する。本実施形態において、表示部１１２は、タッチパネル１０１として操作部１１１とともに一体的に設けられている。表示部１１２は、操作部１１１が操作を受け付ける際の操作画面を表示する。
【００１６】
制御部１０２は、記憶部１０３に格納されている各種情報を読み出し、携帯端末１を統括的に制御する。この制御部１０２は、操作内容判定部１２１と、表示制御部１２２と、情報処理部１２３と、登録部１２４、認証部１２５とを備える。
【００１７】
操作内容判定部１２１は、操作部１１１からの出力に基づき、操作部１１１が受け付けた操作内容を判定する。例えば、操作内容判定部１２１は、操作部１１１の検出結果が示すユーザの指の接触位置および接触時間から、ユーザの指の動きを判定する。操作内容判定部１２１は、判定したユーザの指の動きと、その操作を受け付けた際に表示部１１２に表示されている画像との位置関係に基づき、判定したユーザの指の動きが示す操作内容を判定する。
例えば、操作内容判定部１２１は、表示画面にユーザの指が接触する動き（操作）を操作部１１１が検出した場合、その動きがタッチ操作であると判定する。操作内容判定部１２１は、タッチ操作により接触位置を指示されている状態のまま、指が移動する動き（操作）を操作部１１１が検出した場合、その動きがスライド操作であると判定する。
操作内容判定部１２１は、指が表示画面に接触した後、振り払われるような動き（操作）を操作部１１１が検出した場合、その動きがフリック操作であると判定する。
【００１８】
操作内容判定部１２１は、判定結果に基づき、操作内容に応じた表示内容を表示するよう表示制御部１２２に指示する。例えば、電源がＯＦＦ状態において電源ボタン（図示せず）が押下された場合、操作内容判定部１２１は、電源がＯＮされたことを判定する。この場合、操作内容判定部１２１は、ロック解除用画像を表示することを示す制御信号を表示制御部１２２に出力する。この表示制御部１２２は、操作内容判定部１２１からの制御信号に基づき、ロック解除用画面を表示部１１２に表示させる。
【００１９】
さらに、操作内容判定部１２１は、以下の第１の場合および第２の場合にロック機能が有効であることを示すフラグを記憶部１０３に格納する。第１の場合とは、操作内容判定部１２１がタッチパネル１０１以外の操作手段（例えば、電源スイッチやその他操作ボタン等）からロック機能の解除要求を受け付けた場合である。第２の場合とは、操作内容判定部１２１がロック解除用画面を表示部１１２に表示させるよう表示制御部１２２に指示する場合である。本実施系形態の構成はこれに限られない。ロック機能が有効であることを示すフラグは、前回において電源がオフされたとき、あるいは、スリープ状態に遷移した際に記憶部１０３に書き込まれてもよい。スリープ状態とは、電源がオン状態のまま、タッチパネル１０１の操作部１１１に対する予め決められた指定操作を禁止するロック機能を有効にする状態をいう。
タッチパネル１０１以外の操作手段からロック機能の解除要求を受け付けた場合、操作内容判定部１２１は、タッチパネル１０１の操作部１１１に対する予め決められた指定操作の受け付けを禁止する。タッチパネル１０１以外の操作手段とは、例えば、電源スイッチやその他操作ボタンである。指定操作とは、例えば、ロック解除操作および所定の情報処理機能の起動操作以外の操作である。言い換えると、ロック機能の解除要求を受け付けた場合、操作内容判定部１２１は、予め決められた領域に対する操作の入力を制限する。予め決められた領域とは、ロック解除用画面において表示されている表示物（指標）に対する指定操作を受け付けるために設定された領域である。すなわち、ロック解除用画面が表示されている状態において、ユーザは、予め決められた領域に対して、定められた所定の操作指示のみしか行えない。そのため、ユーザは所定領域外に対する操作を制限されているかのように認識することも多い。このため、以降の実施形態の説明においては、領域に対応する操作の制限を行うとして表現していく。今後、画面の部分的なタッチ検出が安価で容易にできるようになった場合には、ロック解除用画面表示中に、検出手段のうち一部分だけ活性化してタッチ検出が可能なデバイスを利用し、ロック解除用画面に本実施形態に示すような内容を表示して実施形態に記載の操作を受付可能としてもよい。
操作内容判定部１２１は、例えば、ロック機能の解除要求後のロック状態において、操作入力を受け付けることが予め決められている操作領域からの操作を受け付けるが、操作入力が制限されている領域からの操作の受け付けを拒否する。言い換えると、操作内容判定部１２１は、ロック解除用画面における操作入力が制限されている領域に入力された検出信号に基づいて、操作内容を判定しない。また、操作内容判定部１２１は、操作入力が制限されている領域に入力された検出信号に基づき判定された操作内容に基づく制御信号を表示制御部１２２や情報処理部１２３に出力しない。
【００２０】
表示制御部１２２は、操作内容判定部１２１による判定結果が示す操作内容や操作内容判定部１２１からの制御信号に基づき、表示部１１２に表示する表示内容を制御する。本実施形態において、表示制御部１２２は、ロック解除用画面を表示部１１２に表示させるロック解除用画面表示処理を実行する。また、表示制御部１２２は、指定された情報処理機能（アプリケーション）を情報処理部１２３が発揮している状態において、この情報処理部１２３による情報処理結果を表示部１１２に表示させるアプリケーション表示処理を実行する。指定された情報処理機能は、例えば、電子メールに関する情報処理を実行するメールアプリや、記憶部１０３に記憶されている静止画や動画等のコンテンツを表示部１１２に表示させるプレビューアプリを含む。このメールアプリは、受信したメールや送信したメールを表示し、メールを作成し、作成したメールを送信するための情報処理を実行する電子プログラムである。
プレビューアプリは、記憶部１０３に格納されているコンテンツを表示部１１２に表示させるための情報処理を実行する電子プログラムである。
このロック解除用画面表示処理は、ロック解除用画面を表示部１１２に表示するための処理である。詳細な処理内容について、図３を参照して、後述する。
アプリケーション表示処理は、一般的な電子プログラムの処理結果を表示部１１２に表示させるための処理であるため、詳細な説明は省略する。
【００２１】
スイッチボタン（図示せず）が押下されて電源をオフする操作が入力された場合、表示制御部１２２は、表示部１１２の電源を落として、表示部１１２に画像を表示しない。省電力モードで待機中の状態において、スイッチボタンが押下されて電源をオンする操作が入力された場合、表示制御部１２２は、表示部１１２の電源を投入し、ロック解除用画面を表示する（ロック解除用画面表示処理）。表示制御部１２２は、ロック解除用画面表示処理において、予め決められている情報処理機能を実行する指標（以下、アプリアイコンという）をロック解除用画面に表示させる。
表示制御部１２２は、操作部１１１を介してユーザからアプリアイコンの実行が指示された場合、指定されたアプリアイコンに対応する情報処理を情報処理部１２３が実行した情報処理結果を表示部１１２に表示させる（アプリケーション表示処理）。
ロック解除用画面を表示している状態において、操作部１１１に対してロック機能を解除する操作（ロック解除操作）が入力された場合、表示制御部１２２は、表示内容を、例えば、ロック解除用画面からメニュー画面に、あるいは、ロック解除用画面からホーム画面に、切り換える。
【００２２】
情報処理部１２３は、指定されたアプリアイコンに対応するアプリケーションを実行する。つまり、情報処理部１２３は、このアプリケーションの電子プログラムに従って情報の計算処理を実行する。
この情報処理部１２３は、処理結果を表示制御部１２２に出力する。
【００２３】
登録部１２４は、例えば、通信部１０５がインターネット４を介してサーバ５から受信したデータを記憶部１０３に登録する。この登録部１２４は、例えば、サーバ５から携帯端末１にインストールするアプリケーションで電子プログラムをダウンロードし、その電子プログラムを記憶部１０３に登録する。
【００２４】
認証部１２５は、操作内容判定部１２１から入力される操作内容に基づき、記憶部１０３に記憶されている認証情報を参照して、入力された操作内容を認証するか否かを判定する（認証処理）。この認証情報とは、入力された操作内容に応じた情報処理を情報処理部１２３が実行し、情報処理結果を出力する機能を実行することが許可された利用者であることを証明する情報である。本実施形態において、認証部１２５は、パターン認証、ＰＩＮ認証、パスワード認証等を行う。この認証部１２５は、例えば、指定したアプリアイコンに対応するアプリケーションの起動操作が入力された場合、指定されたアプリアイコンに対応する情報処理機能を実行可能な利用者であるか否かを判定する。
【００２５】
制御部１０２は、上述の構成に限られない。制御部１０２は、ロック解除用画面において操作が入力された場合、認証部１２５による認証を実行するか否かを示すセキュリティー設定を設定する設定機能を備えてもよい。この制御部１０２の設定機能は、例えば、操作部１１１を介してユーザによって設定が変更された場合、変更後の設定内容を示す情報を記憶部１０３に書き込む。
【００２６】
記憶部１０３は、携帯端末１の処理に用いる種々の情報を記憶する。この記憶部１０３は、例えば、プログラム記憶領域１３１と、一時記憶領域１３２と、設定情報記憶領域１３３とを含む。記憶部１０３は、例えば、ＳＤカード、ＩＣカード、外付けハードディスクなど、着脱自在な可搬型メモリ（記録メディア）を含む構成であってもよい。記憶部１０３は、図示しない所定の外部サーバ上にあってもよい。
【００２７】
プログラム記憶領域１３１は、携帯端末１による各種動作に応じて本実施形態に係る処理を実現するためのプログラムや各種のアプリケーションなどを記憶する記憶領域である。本実施形態において、プログラム記憶領域１３１は、アプリアイコンに対応するアプリケーションの電子プログラムを格納する。
【００２８】
一時記憶領域１３２は、携帯端末１が動作するために必要な各種の情報を一時的に記憶する記憶領域である。この一時記憶領域１３２は、例えば、フラグ情報、タイマー情報、表示部に表示させるための画像情報など、携帯端末１が動作するために必要な各種情報を一時的に記憶する記憶領域である。
フラグ情報とは、現在の設定を示す情報であって、例えば、ロック機能が有効な状態であるか否かを示すフラグ情報等を含む。本実施形態において、電源がＯＮされた場合、操作内容判定部１２１が、ロック機能が有効であることを示すフラグ情報を一時記憶領域１３２に書き込む。
【００２９】
設定情報記憶領域１３３は、予め設定されている設定を示す情報を記憶する記憶領域である。この設定情報記憶領域１３３は、例えば、フラグ情報として、ロック状態におけるセキュリティー設定がオンされていることを示すフラグ情報や、アプリケーション起動時にロック機能を解除することを示すフラグ情報を記憶する。このフラグ情報は、セキュリティー設定や、ロック解除設定が変更された際に、登録部１２４によって設定情報記憶領域１３３に書き込まれる。
【００３０】
音信号処理部１０４は、マイクＭＣとスピーカーＳＫを備える。音信号処理部１０４は、マイクＭＣからアナログの音信号の入力を受け付けた場合、その音信号をＡ/Ｄ変換して、デジタルの音データを表示制御部１２２に出力する。音信号処理部１０４は、表示制御部１２２からデジタルの音データの入力を受け付けた場合、その音データをＡ/Ｄ変換して、アナログの音信号をスピーカーＳＫから出力する。
【００３１】
通信部１０５は、例えば、通話機能、電子メール機能、インターネット接続機能などの動作時に、アンテナを介して、最寄りの基地局２Ａとの間でデータの送受信を行う。
タイマー１０６は、現在の日時を計時し、計時した日時を示す日時情報を制御部１０２に出力する。
【００３２】
次に、図３〜７を参照して、携帯端末１の表示画面と入力される操作内容の一例について説明する。
（ロック機能の解除要求後のロック状態において表示されるロック解除用画面の一例）
まず、図３を参照して、ロック解除用画面の一例について説明する。図３は、電源をＯＮした直後に表示されるロック解除用画面の一例を示す図である。図３において、紙面の上側が表示部（ロック解除用画面）１１２の上側であり、紙面の下側が表示部１１２の下側である。本実施形態において、例えば、電源ＯＦＦ状態において、電源ボタン（図示せず）が押下された場合、携帯端末１の電源がＯＮされ、表示制御部１２２はロック解除用画面表示処理を実行し、図３に示すようなロック解除用画面を表示部１１２に表示させる。
図３に示す通り、ロック解除用画面には、アプリアイコン表示領域Ｒ１と、起動操作画面領域Ｒ２と、ロック解除操作画面領域Ｒ３と、マナーモード設定操作画面領域Ｒ４と、コンテンツ画像表示領域Ｒ５と、アプリ情報表示領域Ｒ６とを含む。アプリアイコン表示領域Ｒ１は、アプリアイコンを表示する。起動操作画面領域Ｒ２は、アプリアイコンに対する起動操作を受け付ける。ロック解除操作画面領域Ｒ３は、ロック解除アイコンに対するロック解除操作を受け付ける。マナーモード設定操作画面領域Ｒ４は、マナーモードアイコンに対するマナーモード設定操作を受け付ける。コンテンツ画像表示領域Ｒ５は、コンテンツ画像を表示する。アプリ情報表示領域Ｒ６は、アプリアイコンに対応するテキストデータを表示する。
アプリアイコン表示領域Ｒ１と、起動操作画面領域Ｒ２と、ロック解除操作画面領域Ｒ３と、マナーモード設定操作画面領域Ｒ４とは、ロック状態であっても入力する操作を受け付ける領域である。それ以外の領域は、ロック状態において入力する操作が制限される領域である。
【００３３】
アプリアイコン表示領域Ｒ１は、ロック状態において起動可能なアプリケーションとして予め決められているアプリケーションを指定するための指標（アプリアイコン）を表示する画像領域である。表示制御部１２２は、このアプリアイコン表示領域Ｒ１に、少なくとも１つのアプリアイコンを表示させる。図示の例では、アプリアイコン表示領域Ｒ１に複数のアプリアイコンＱ３〜Ｑ９（図３では記号“１”〜“９”で示している）が表示されている。
このアプリアイコン表示領域Ｒ１は、表示部１１２の表示画面において、例えば、半分より上側に表示される。この表示制御部１２２の中央位置には、起動操作画面領域Ｒ２と重複する領域が含まれている。このアプリアイコン表示領域Ｒ１と起動操作画面領域Ｒ２とが重複する領域を、基準始点領域Ｒ１２という。本実施形態において、表示制御部１２２は、基準始点領域Ｒ１２に位置されているアプリアイコンが現時点において指定されているアプリアイコンであると判定する。
【００３４】
本実施形態において、表示制御部１２２は、このアプリアイコン表示領域Ｒ１に複数のアプリアイコンを表示する場合、複数のアプリアイコンが基準始点領域Ｒ１２に順番に表示されるように、時々刻々と変更させる処理を実行する。この処理により、アプリアイコン表示領域Ｒ１に表示されるアプリアイコンは一定の方向に回転して基準始点領域Ｒ１２に順番に位置される。ユーザがアプリアイコン表示領域Ｒ１に対して入力するフリック操作やスライド操作を操作部１１１が受け付けた場合、操作内容判定部１２１は、基準始点領域Ｒ１２に表示されるアプリアイコンを切り替える操作を受け付けたことを判定する。表示制御部１２２は、操作内容判定部１２１による操作判定結果に基づき、基準始点領域Ｒ１２に表示されるアプリアイコンを変更する。このとき、表示制御部１２２は、アプリアイコン表示領域Ｒ１に表示される複数のアプリアイコンをフリック操作やスライド操作の方向に回転させるような動画像をアプリアイコン表示領域Ｒ１に表示させてもよい。
この場合、アプリアイコン表示領域Ｒ１に表示される複数のアプリアイコンの順番や位置は、ユーザによって設定されてもよい。アプリアイコン表示領域Ｒ１に、ユーザの履歴情報に基づき利用頻度の高いアプリアイコンを優先的に表示させてもよい。新着情報等の更新された情報を表示する場合、更新された日時が新しい情報から順番に優先的に表示させてもよい。
このように、アプリアイコン表示領域Ｒ１の基準始点領域Ｒ１２に表示される複数のアプリアイコンの変更可能とすることにより、このアプリアイコンに対応するアプリケーションの起動操作を入力する対象を指定することが可能となる。この起動操作については、後で詳細に説明する。
【００３５】
アプリアイコンの画像は、対応するアプリケーションの内容を端的に表現する画像に基づき作成される。記憶部１０３に記憶されているコンテンツデータを表示させるアプリケーションに対応付けられているアプリアイコンの画像の例について説明する。このようなアプリアイコンの画像としては、コンテンツデータのサムネイル画像を利用することができる。新着メールや新着電話を表示するアプリケーションに対応付けられているアプリアイコンの画像の例について説明する。このようなアプリアイコンの画像としては、メールの送信者を示す画像や電話の発信者を示す画像を利用することができる。ロック状態におけるセキュリティー設定がオンに設定されている場合、表示制御部１２２は、指定されたアプリアイコンに対応するサムネイルや送信者を示す画像等は、アプリアイコンの画像としては表示させない。
このように、セキュリティー設定がオフに設定されている場合、アプリアイコンの画像としてアプリケーションの内容を示す画像を用いる。このため、ユーザに対してアプリケーションの内容を直感的に伝えることができる。
また、セキュリティー設定がオンに設定されている場合、アプリアイコンの画像としてアプリケーションの内容を含まない表示態様とする。このため、セキュリティーの認証が完了する前にプライバシーに関する情報がロック解除用画面に表示されることを防止することができる。本実施形態において、携帯端末１は、セキュリティー設定がオンに設定されている場合であっても、電源がＯＮされた場合、認証画面を表示するよりも前にロック解除用画面を表示する。このような場合において、ロック解除用画面に表示されるアプリアイコンの画像としてプライバシーに関する情報がロック解除用画面に表示されることを防止する。この構成により、個人情報や機密情報の流出を防止し、プライバシーが侵害されることを防止することができる。
【００３６】
図３に示す例において、基準始点領域Ｒ１２には、アプリアイコンＱ６が位置されている。
この場合、操作内容判定部１２１は、基準始点領域Ｒ１２に位置されているアプリアイコンＱ６に対応するアプリケーションが指定されていると判定する。このアプリアイコンＱ６は、番組コンテンツを表示部１１２に表示させるアプリケーションに対応するアイコンである。本実施形態において、アプリアイコンＱ６には、「２０××／××／××に開催されたワールドカップ予選の日本対○○」の試合を放送する番組の番組コンテンツが対応付けられている。この番組コンテンツのデータは、記憶部１０３に記憶されているデータであってもよい。この番組コンテンツのデータは、現在放送されている番組コンテンツをデジタル放送により受信したデータであってもよい。この番組コンテンツのデータは、サーバ５に保存されている番組コンテンツをストリーミングにより取得したデータであってもよい。
【００３７】
アプリアイコン表示領域Ｒ１には、アプリアイコンとして、例えば、携帯端末１にインストールされているアプリケーションの実行を指示する指標が表示されている。このアプリケーションとしては、記憶部１０３に記憶されている動画や静止画像を表示させるプレビュー機能を発揮させる電子プログラムや、受信したメールを表示させるメール機能を発揮させる電子プログラムや、着信があった相手や電話番号を表示させる電話機能を発揮させる電子プログラムが含まれる。
【００３８】
コンテンツ画像表示領域Ｒ５は、ロック解除用画面内の上側であって、アプリアイコン表示領域Ｒ１の上側に位置する領域である。このコンテンツ画像表示領域Ｒ５は、例えば記憶部１０３に記憶されているコンテンツや外部装置から入力するコンテンツに対応する動画や静止画像を表示する領域である。コンテンツ画像表示領域Ｒ５に表示される画像は、時々刻々と変化してもよい。複数の画像が表示される場合、予め決められた順番通りに画像を表示しもよく、ランダムに画像を表示してもよい。
ロック状態におけるセキュリティー設定がオンに設定されている場合、表示制御部１２２は、コンテンツの動画や静止画像が記憶部１０３に記憶されていても、コンテンツ画像表示領域Ｒ５にはこれら動画や静止画像を表示させない。
表示制御部１２２は、コンテンツ画像表示領域Ｒ５に指定されたアプリアイコンに関連する動画や静止画像を表示してもよい。
本実施形態において、上述の通り、アプリアイコンＱ６が指定されている場合、コンテンツ画像表示領域Ｒ５には、例えば、試合のハイライトシーンの映像や選手のポジションを示す画像が表示される。
【００３９】
アプリ情報表示領域Ｒ６は、ロック解除用画面内の概ね中央に位置される領域である。
このアプリ情報表示領域Ｒ６は、指定されているアプリアイコンに対応するアプリケーションの内容を示す関連情報（画像や動画あるいはテキストデータ等）を表示する領域である。本実施形態において、操作内容判定部１２１は、基準始点領域Ｒ１２に位置されたアプリアイコンが指定されていると判定する。上述の通り、アプリアイコンＱ６が指定されている場合、アプリ情報表示領域Ｒ６には、指定されたアプリアイコンに対応するアプリケーションの内容を示す関連情報が表示される。関連情報は、例えば、コンテンツのタイトルや、コンテンツの内容を示すテキストデータである。このアプリ情報表示領域Ｒ６には、指定されたアプリアイコンに対応するアプリケーションの名称やその内容の説明を表示してもよい。指定されたアプリアイコンが、新着メールや新着電話を表示するアプリケーションに対応する場合、着信があった相手の名前や電話番号、メールアドレス、および、受信したメール内容やそのタイトルをアプリ情報表示領域Ｒ６に表示してもよい。
ロック状態におけるセキュリティー設定がオンに設定されている場合、表示制御部１２２は、指定されたアプリアイコンに対応するアプリケーションの内容を示す関連情報のうち、個人情報や機密情報あるいはそれ以外のプライバシーに関する情報として予め決められている情報を、アプリ情報表示領域Ｒ６に表示させない。
【００４０】
このように、セキュリティー設定がオフに設定されている場合、アプリ情報表示領域Ｒ６に指定されたアプリアイコンに対応するアプリケーションの内容を示す関連情報を表示させる。これにより、ユーザに対してアプリケーションの内容を直感的に伝えることができる。よって、ユーザは、容易にアプリアイコンに対応するアプリケーションの内容を知ることができる。
また、セキュリティー設定がオンに設定されている場合、表示制御部１２２は、アプリ情報表示領域Ｒ６に、個人情報や機密情報あるいはそれ以外のプライバシーに関する情報として予め決められている情報を表示することを制限する。言い換えると、表示制御部１２２は、このような個人情報や機密情報あるいはそれ以外のプライバシーに関する情報以外の限られた関連情報についてのみ、アプリ情報表示領域Ｒ６に表示させる。これにより、セキュリティーの認証が完了する前に個人情報や機密情報あるいはそれ以外のプライバシーに関する情報がロック解除用画面に表示されることを防止することができる。本実施形態において、携帯端末１は、セキュリティー設定がオンに設定されている場合であっても、電源がＯＮされた場合、認証画面を表示するよりも前にロック解除用画面を表示する。このような場合において、個人情報や機密情報あるいはそれ以外のプライバシーに関する情報がロック解除用画面に表示されることを防止する。これにより、個人情報や機密情報の流出を防止し、プライバシーが侵害されることを防止することができる。
【００４１】
このように、ロック解除用画面において、起動操作を受け付けるアプリケーションの動画や静止画像、あるいはテキストデータ等を表示する。これにより、ロック状態であっても起動可能なアプリケーションをユーザに知らせることができる。また、着信メールがあった場合に、受信したメールの内容やメールの送信者を示す画像をロック解除用画面に表示する。これにより、ユーザは、アプリケーションを起動させなくても、ロック解除用画面を確認するだけで、ある程度の情報を取得することができる。よって、ユーザは必要に応じてアプリケーションを起動させることができるとともに、起動させたいアプリケーションを直感的に選択し、起動操作を入力することができる。
また、本実施形態に係る携帯端末１は、ロック状態におけるセキュリティー設定がオンに設定されている場合、個人の選択によって記憶部１０３に格納されている動画や静止画像あるいは着信の相手やその内容を示す情報などの個人情報や機密情報あるいはそれ以外のプライバシーに関する情報はロック解除用画面に表示させない。これにより、携帯端末１の所有者以外の第三者が電源をＯＮさせ、ロック解除用画面が表示された場合であっても、第三者にプライバシーに関する情報が見られることを防止することができる。
【００４２】
また、図３に示す通り、起動操作画面領域Ｒ２は、ロック解除用画面内において少なくとも一部がロック解除操作画面領域Ｒ３とは異なる領域である。本実施形態において、起動操作画面領域Ｒ２とロック解除操作画面領域Ｒ３とが一部において重複しているが、重複している部分以外の領域は、異なる領域である。このように、起動操作とロック解除操作とを入力する領域を、それぞれ異なる領域とすることにより、操作内容判定部１２１は、ロック解除用画面において入力される起動操作とロック解除操作とをそれぞれ区別して認識することができる。これにより、操作内容判定部１２１が起動操作とロック操作とを誤って判定することを防止するとともに、ユーザが起動操作とロック解除操作とを混同して誤操作をすることによる誤動作を防止することができる。
【００４３】
（ロック機能の解除要求後のロック状態におけるアプリケーション起動操作の一例）
次に、図４を参照して、図３に示すロック解除用画面に対して入力されるアプリケーション起動操作の一例について説明する。
図４に示す通り、起動操作画面領域Ｒ２は、例えば、第１の方向Ｈに長い領域であって、基準始点領域Ｒ１２においてアプリアイコン表示領域Ｒ１と重複している。
本実施形態において、起動操作画面領域Ｒ２は、図示の通り、表示部１１２の表示画面の概ね中央部分に位置されている領域である。
第１の方向Ｈとは、起動操作の方向性Ｄ１を示す。本実施形態では、第１の方向Ｈは、ロック解除用画面の上から下に向かう方向をいう。つまり、本実施形態において、起動操作とは、基準始点領域Ｒ１２に位置しているアプリアイコンを操作手段（例えば指）でタッチ操作等することにより指定した後、基準始点領域Ｒ１２を始点として、指定したアプリアイコンに対して第１の方向Ｈに向かって操作手段を移動させる操作をいう。この第１の方向Ｈに向かって操作手段を移動させる操作とは、第１の方向Ｈに操作手段を振り払うフリック操作であってもよく、指定したアプリアイコンを起動操作確定アイコンＱ１０まで移動させるスライド操作であってもよい。この起動操作確定アイコンＱ１０は、図３に示したとおり「ＳＥＴ」と表示されている画像で表示される。
【００４４】
この起動操作確定アイコンＱ１０は、細長い形状の起動操作画面領域Ｒ２において基準始点領域Ｒ１２とは逆のロック解除用画面下側の端に表示される。起動操作確定アイコンＱ１０は、起動操作を入力する際にユーザに対して起動操作の操作内容を明確に伝達するための指標である。この場合、操作内容判定部１２１は、基準始点領域Ｒ１２に位置されたアプリアイコンがタッチ操作等により指定され、指定されたアプリアイコンが基準始点領域Ｒ１２から起動操作確定アイコンＱ１０までスライド移動された場合、起動操作を入力したことを判定する。このとき、表示制御部１２２は、指定されたアプリアイコンが、指の動きに連動して移動するようにロック解除用画面に重畳して表示させる。そして、表示制御部１２２は、操作内容判定部１２１によって起動操作が入力されたと判定した場合、表示部１１２に表示されているロック解除用画面を切り替えて、指定されたアプリアイコンに対応する画像を表示部１１２に表示させる。
【００４５】
このように、操作内容判定部１２１が、ロック解除用画面において指定されたアプリアイコンの起動操作を受け付ける。これにより、本実施系形態によらないで、ロック解除操作を入力した後に、アプリアイコンを指定して起動操作を入力する操作に比べて、本実施系形態では起動操作の操作工程を少なくすることができる。これにより、ユーザの操作性を向上させることができる。
また、操作内容判定部１２１は、ロック解除用画面において、アプリアイコン表示領域Ｒ１に表示されているアプリアイコンのうち、基準始点領域Ｒ１２に位置したアプリアイコンが指定された状態で、指定されたアプリアイコンが基準始点領域Ｒ１２から第１の方向Ｈに向かう操作が入力された場合、起動操作を受け付けたことを判定する。このように、起動操作として、操作の方向性Ｄ１（第１の方向Ｈ）と、その操作の始点位置（基準始点領域Ｒ１２）が予め決められている。つまり、意図的な操作を行わない限り、起動操作を入力することは困難であり、意図しない操作による誤動作を防止することができる。
さらに、起動操作自体は、一定の方向に振り払うフリック操作や一定方向にタッチしたアイコンを移動させるスライド操作等の単純な操作である。よって、ユーザは容易で直感的な操作により、アプリアイコンに対応するアプリケーションの起動を指示することができる。
【００４６】
ロック機能の解除要求後のロック状態では、ロック解除用画面を介してユーザの意図しない操作（誤操作）を入力することによって誤動作しないように、アプリアイコン表示領域Ｒ１、起動操作画面領域Ｒ２、ロック解除操作画面領域Ｒ３、およびマナーモード設定操作画面領域Ｒ４以外の領域に対する操作入力を制限している。また、これら操作を受け付ける領域であっても、操作内容判定部１２１は、予め決められた意図的な操作に限り、操作内容を判定し、判定結果が示す操作を受け付ける。このため、ロック解除用画面において受け付ける操作は、簡単な操作であっても、誤動作を防止するための意図的な操作である必要がある。本実施形態に係る携帯端末１は、ロック解除用画面において、意図的な操作であり、かつ、直感的で簡単な操作を受け付けることにより、誤操作による誤動作を防止するとともに操作性を向上させることができる。
【００４７】
また、上述の通り、操作内容判定部１２１は、起動操作として、基準始点領域Ｒ１２を始点としたフリック操作やスライド操作を受け付ける。つまり、基準始点領域Ｒ１２以外に表示されているアプリアイコンを起動操作確定アイコンＱ１０に向けて移動させた場合であっても、操作内容判定部１２１は、この操作を起動操作でないと判定する。言い換えると、操作内容判定部１２１は、基準始点領域Ｒ１２から始まる第１の方向Ｈに沿った軌跡に操作手段（例えば指）が動かされた場合に限り、起動操作を受け付けたことを判定する。よって、上述の通り、操作内容判定部１２１は、意図的な操作を起動操作として受け付けることが可能であって、意図的でない誤操作による誤動作を防止することがでる。また、この起動操作を受け付ける操作領域を限定（狭く）することができる。これにより、誤操作を受け付ける可能性のある操作領域を狭めることができるため、誤操作による誤動作のさらなる防止に貢献することができる。
【００４８】
さらに、本実施形態に係る操作内容判定部１２１は、起動操作を受け付けたことを判定した場合、ロック解除の指示を受け付けたことを判定してもよい。この場合、記憶部１０３の設定情報記憶領域１３３には、起動操作を受け付けたと判定した場合、これと同時にロック解除の指示を受け付けたことを判定するか否かを示す設定情報（フラグ情報）が格納されている。操作内容判定部１２１は、この設定情報を参照して、受け付けた起動操作を、指定されたアプリケーションの起動指示のみを示す操作と判定するか、あるいは、指定されたアプリケーションの起動指示とともにロック機能を解除する指示を示す操作と判定するかを判定する。
このように、操作内容判定部１２１は、起動指示を受けた際にロック機能も解除することが予め設定されている場合、指定されたアプリケーションの起動指示とともにロック機能を解除する指示を受け付ける。これにより、ユーザは、ロック解除用画面において、基準始点領域Ｒ１２に位置されたアプリアイコンに対して第１の方向Ｈに向かう操作を行うだけで、容易にロックを解除させるとともに、指定されたアプリケーション機能を起動させることができる。これにより、意図しない操作（誤操作）による誤動作を防止しつつ、操作工程を省略することができるため、操作性を向上させることができる。
【００４９】
さらにまた、本実施形態に係る操作内容判定部１２１は、基準始点領域Ｒ１２に位置しているアプリアイコンを指定した状態において、指定したアプリアイコンを基準始点領域Ｒ１２から起動操作確定アイコンＱ１０まで移動させる操作を受け付けた場合、指定されたアプリケーションの起動操作を受け付けたことを判定する。
このように、指定したアプリアイコンを移動させる終点を起動操作確定アイコンＱ１０によってユーザに示すことにより、ユーザが意図的な操作をしなければ、操作内容判定部１２１が起動操作を受け付けることは困難である。本実施形態において、起動操作確定アイコンＱ１２を表示させることにより、ユーザに対して、アプリアイコン表示領域Ｒ１の基準始点領域Ｒ１２に表示されているアプリアイコンへの操作を行なったのち、この基準始点領域Ｒ１２よりも第１の方向Ｈ側に存在する起動操作確定アイコンＱ１０までの移動操作を行うことを知らせる。これにより、ユーザが起動操作を希望する場合、上述のような起動操作を入力すべきことを視覚的に伝達することができ、ユーザは機能を起動させる操作を入力しやすくなる。また、上述のように起動操作の内容を意図的な操作とすることにより、意図しない操作（誤操作）による誤動作を防止できる。
【００５０】
（ロック機能の解除要求後のロック状態におけるロック解除操作の一例）
次に、図５を参照して、図３に示すロック解除用画面に対して入力されるロック解除操作の一例について説明する。
図５に示す通り、ロック解除操作画面領域Ｒ３は、例えば、第１の方向Ｈの方向とは異なる方向（第２の方向Ｒ）に伸びる領域である。
本実施形態において、ロック解除操作画面領域Ｒ３は、予め決められているロック操作の軌跡に対応する形状である。ロック解除操作画面領域Ｒ３は、図５に示す例では、第２の方向Ｒに伸びるアーチ状の曲線を描く形状の領域である。このロック解除操作画面領域Ｒ３において、ロック解除用画面の中央部分に近い一端には操作アイコンＱ１１が、ロック解除用画面の外縁部分に近い他端にはロック解除操作確定アイコンＱ１２が、表示されている。
つまり、ロック解除操作は、操作アイコンＱ１１を操作手段（例えば指）でタッチ操作等することにより指定した状態のまま、起動操作の方向性Ｄ１（第１の方向Ｈ）と異なる方向（第２の方向Ｒ）に向かって操作手段を移動させる操作をいう。つまり、第１の方向Ｈと第２の方向Ｒは、交差する方向である。本実施形態においては、起動操作の軌跡とロック解除操作の軌跡とが、ロック解除用画面において交差する位置関係になるように起動操作画面領域Ｒ２とロック解除操作画面領域Ｒ３とが位置されている。この第１の方向Ｈと異なる第２の方向Ｒに向かって操作手段を移動させる操作とは、第１の方向Ｈと異なる方向に操作手段を振り払うフリック操作であってもよく、指定している操作アイコンＱ１１をロック解除操作確定アイコンＱ１２まで移動させるスライド操作であってもよい。
【００５１】
このように、起動操作の方向性Ｄ１（第１の方向Ｈ）と、ロック解除操作の方向性Ｄ２（第２の方向Ｒ）とが、それぞれ異なる方向性の操作であることを携帯端末１の記憶部１０３に登録しておく。これにより、操作内容判定部１２１は、ロック解除用画面において入力される起動操作とロック解除操作とをそれぞれ区別して認識することができる。また、起動操作とロック解除操作とを、方向性のある操作とすることにより、操作内容判定部１２１は、ロック解除用画面において誤って入力される誤操作と区別して、より明確に、起動操作であるか、あるいは、ロック解除であるかを判定することができる。言い換えると、タッチ操作等は、携帯端末１をポケットに入れた状態で誤って操作される可能性が高く、また、ポケットの出し入れにおいてもユーザによって誤って入力される可能性が高い。本実施形態において、起動操作とロック解除操作の動きとして、このように誤操作される可能性の低い動きを登録することにより、誤操作による誤動作を防止することができる。
また、ユーザは、起動操作やロック解除操作を入力する場合、アイコンに対してロック解除用画面に表示されている確定アイコンや操作方向を示す画像に従って、それぞれ明確に区別された操作であってかつ操作態様の似ている操作（互いに方向が異なる移動操作）を行うだけで良い。これにより、機能の起動の操作とロックの解除操作を、ユーザが混乱することなくかつ容易に行うことができる。
さらに、起動操作の軌跡とロック解除操作の軌跡とが、ロック解除用画面において交差する位置関係になるように起動操作画面領域Ｒ２とロック解除操作画面領域Ｒ３とが位置されている。これにより、両者の操作を明確に区分けすることができるとともに、軌跡を長くすることができる。また、移動操作の移動先をユーザが容易に認知できる。つまり、軌跡を長く設定することにより、ユーザは、交差する軌跡で区分けされた反対側の領域が移動操作の移動先であると判断できる。
【００５２】
（ロック機能の解除要求後のロック状態におけるマナーモード設定操作の一例）
次に、図６を参照して、図３に示すロック解除用画面に対して入力されるマナーモード設定操作の一例について説明する。
図６に示す通り、マナーモード設定操作画面領域Ｒ４は、例えば、第１の方向Ｈの方向とは異なる方向（第３の方向Ｌ）に伸びる領域である。本実施形態において、第３の方向Ｌは、第２の方向Ｒとも異なる方向である。
本実施形態において、マナーモード設定操作画面領域Ｒ４は、予め決められているマナーモード設定操作の軌跡に対応する形状である。図５に示す例では、マナーモード設定操作画面領域Ｒ４は、第３の方向Ｌに伸びるアーチ状の曲線を描く形状の領域である。このマナーモード設定操作画面領域Ｒ４において、ロック解除用画面の中央部分に近い一端には操作アイコンＱ１１が、ロック解除用画面の外縁部分に近い他端にはマナーモード設定操作確定アイコンＱ１３が、表示されている。
つまり、マナーモード設定操作は、操作アイコンＱ１１を操作手段（例えば指）でタッチ操作等することにより指定した状態のまま、起動操作の方向性Ｄ１（第１の方向Ｈ）およびロック解除操作の方向性Ｄ２（第２の方向Ｒ）と異なる方向（第３の方向Ｌ）に向かって操作手段を移動させる操作をいう。この第３の方向Ｌに向かって操作手段を移動させる操作とは、第１の方向Ｈおよび第２の方向Ｒと異なる方向に操作手段を振り払うフリック操作であってもよく、指定している操作アイコンＱ１１をマナーモード設定操作確定アイコンＱ１３まで移動させるスライド操作であってもよい。
【００５３】
このように、起動操作の方向性Ｄ１（第１の方向Ｈ）と、ロック解除操作の方向性Ｄ２（第２の方向Ｒ）と、マナーモード設定操作の方向性Ｄ３（第３の方向Ｌ）とが、それぞれ異なる方向性の操作であることを携帯端末１の記憶部１０３に登録しておく。これにより、操作内容判定部１２１は、ロック解除用画面において入力される起動操作とロック解除操作とマナーモード設定操作とをそれぞれ区別して認識することができる。また、起動操作とロック解除操作とマナーモード設定操作とを、方向性のある操作とすることにより、操作内容判定部１２１は、誤操作による誤動作を防止することができる。
【００５４】
（ロック機能の解除要求後のロック状態におけるセキュリティー設定がオンに設定されている場合の操作の一例）
次に、図７を参照して、図３に示すロック解除用画面に対して入力されるアプリケーション起動操作の一例について説明する。
図７の（ａ）部には、図３に示したようなロック解除用画面を示す。図７の（ａ）部に示すロック解除用画面が表示されている状態において、基準始点領域Ｒ１２に位置されているアプリアイコンＱ６がタッチ操作等により指定された状態のまま、アプリアイコンＱ６を起動操作確定アイコンＱ１０まで移動させる。これにより、操作内容判定部１２１は、アプリアイコンＱ６に対応するアプリケーションの起動操作の入力を受け付けたことを判定する。このとき、表示制御部１２２は、図７の（ｂ）部に示す通り、基準始点領域Ｒ１２に位置されているアプリアイコンＱ６を基準始点領域Ｒ１２から起動操作確定アイコンＱ１０まで移動する画像をロック解除用画面に重畳して表示させる。
設定情報記憶領域１３３に、ロック状態におけるセキュリティー設定がオンであることを示すフラグ情報が格納されている場合、表示制御部１２２は、図７の（ｃ）部に示すようなセキュリティー認証画面を表示させる。
【００５５】
図７の（ｃ）部は、セキュリティー認証画面の一例として、認証画面２０１、２０２、２０３を示す。
この認証画面２０１は、パターン認証のためのパターンの入力を受け付ける操作画面である。この認証画面２０１には、９つのマークが格子状に配置されている。セキュリティー認証方法としてパターン認証が決められている場合において、表示制御部１２２は、アプリケーションの起動操作が入力されたことを操作内容判定部１２１が判定した場合、認証画面２０１を表示部１１２に表示させる。そして、認証部１２５が、認証画面２０１に入力される操作に基づき、入力されたパターンが予め登録されているパターンと一致するか否かを判定する。それらのパターンが一致した場合、認証部１２５は、認証されたことを示す情報を表示制御部１２２と情報処理部１２３に出力する。
このようにして認証部１２５が認証した場合、表示制御部１２２は、アプリケーション表示処理を実行し、図７の（ｄ）部に示すように、指定されたアプリアイコンに対応する画像を表示部１１２に表示させる。
【００５６】
認証画面２０２は、ＰＩＮ認証のための暗証番号の入力を受け付ける操作画面である。
この認証画面２０２は、暗証番号の入力するための数字キーの入力画面と、入力結果を示す入力欄を示す。
認証画面２０３は、パスワード認証のためのパスワードの入力を受け付ける操作画面である。この認証画面２０３は、パスワードの入力するためのＱＷＥＲＴＹキーの入力画面と、入力結果を示す入力欄を示す。
セキュリティー認証方法としてＰＩＮ認証が決められている場合において、表示制御部１２２は、アプリケーションの起動操作が入力されたことを操作内容判定部１２１が判定した場合、認証画面２０２を表示部１１２に表示させる。セキュリティー認証方法としてパスワード認証が決められている場合において、表示制御部１２２は、アプリケーションの起動操作が入力されたことを操作内容判定部１２１が判定した場合、認証画面２０３を表示部１１２に表示させる。
この場合も同様にして、認証部１２５が、認証画面２０２、２０３に入力される操作に基づき、入力された暗証番号やパスワードが予め登録されている暗証番号やパスワードと一致するか否かを判定する。暗証番号やパスワードが一致した場合、認証部１２５は、認証されたことを示す情報を表示制御部１２２と情報処理部１２３に出力する。
【００５７】
このようにして、ロック状態におけるセキュリティー設定がオンであることを示すフラグ情報が格納されている場合、情報処理部１２３は、認証部１２５による認証が実施された後に、指定されたアプリケーションを起動する。このため、セキュリティーを確保することができる。
また、ロック状態におけるセキュリティー設定がオンであることを示すフラグ情報が格納されている場合、ユーザがロック解除用画面でアプリケーションの起動を指示する操作を行なった後に、認証が実施されるので、ユーザが混乱することを防止できる。
例えば、本実施系形態によらず、ロック解除用画面を表示するよりも前に、認証実施の有無を表示する画像を表示した場合を想定する。この場合、電源がＯＮされた直後に、認証画面が表示されたり（認証機能が要に設定されている場合）、ロック解除用画面が表示されたり（認証機能が否に設定されている場合）してしまう。すなわち、電源がＯＮされた直後に表示される画面が、認証機能要否の設定によって変わってしまう。このため、ユーザはどちらの画面が表示されるのかを直感的に想定しにくい。
一方、本実施系形態によれば、電源がＯＮされた直後に表示される画面は、認証機能要否の設定によらずロック解除用画面であるため、ユーザはどの画面が表示されるのかを直感的に想定しやすい。つまり、電源がＯＮされた直後に表示される画面は、常にロック解除用画面であるとの認識をユーザに与えることができる（電源オン直後＝ロック解除用画面表示）。このように、本実施系形態によれば、認証機能が要に設定されている場合、ユーザがロック解除用画面で機能を起動する操作を行なった後に、認証が実施されるので、ユーザが混乱することを防止できる。
【００５８】
次に、図８を参照して、本実施形態に係る携帯端末１による動作の処理フローについて説明する。図８は、本実施形態に係る携帯端末１による動作の処理フローについて説明するためのフローチャートである。
【００５９】
（ステップＳＴ１）
携帯端末１の制御部１０２は、電源がＯＮされたか否かを判定する。例えば、電源がＯＦＦの状態において電源ボタン（図示せず）が押下された場合、操作内容判定部１２１は、電源をＯＮする操作を受け付けたことを判定する。
【００６０】
（ステップＳＴ２）
次いで、表示制御部１２２は、記憶部１０３に記憶されている設定情報記憶領域１３３を参照して、セキュリティー設定がオンに設定されているか否かを判定する。
【００６１】
（ステップＳＴ３）
例えば、設定情報記憶領域１３３にロック状態におけるセキュリティー設定がオンであることを示すフラグ情報が格納されている場合、表示制御部１２２は、セキュリティー設定がオンに設定されていることを判定する。
そして、表示制御部１２２は、予め決められた部分の表示を制限したロック解除用画面を表示部１１２に表示させる。具体的に、ロック解除用画面のアプリアイコン表示領域Ｒ１に表示されるアプリアイコンの画像にサムネイルや送信者を示す画像等のプライバシーに関する情報が含まれている場合について説明する。この場合、表示制御部１２２は、このアプリアイコンの画像として、これらプライバシーに関する情報を含まないデフォルトの画像を表示させる。また、ロック解除用画面のコンテンツ画像表示領域Ｒ５に表示される動画や映像、あるいは、アプリ情報表示領域Ｒ６に表示されるテキストデータに、個人の写真や動画、メール内容や送信者を示す情報等のプライバシーに関する情報が含まれている場合について説明する。この場合、表示制御部１２２は、これらプライバシーに関する情報は表示させない。
また、操作内容判定部１２１は、ロック状態において予め決められた領域に対する操作の入力を制限する。
【００６２】
（ステップＳＴ４）
設定情報記憶領域１３３にロック状態におけるセキュリティー設定がオンであることを示すフラグ情報が格納されていない、表示制御部１２２は、セキュリティー設定がオフに設定されていると判定する。言い換えると、ロック状態におけるセキュリティー設定がオフであることを示すフラグ情報が格納されている場合、表示制御部１２２は、セキュリティー設定がオフに設定されていると判定する。
そして、表示制御部１２２は、ロック解除用画面において表示可能な画像を含む図３に示したようなロック解除用画面を表示部１１２に表示させる。つまり、プライバシーに関する情報も表示されるロック解除用画面が表示される。
また、操作内容判定部１２１は、ロック状態において予め決められた領域に対する操作の入力を制限する。
【００６３】
（ステップＳＴ５）
次いで、操作内容判定部１２１は、起動操作を受け付けたか否かを判定する。本実施形態において、操作内容判定部１２１は、基準始点領域Ｒ１２から第１の方向Ｈに向かう操作（例えば、フリック操作やスライド操作）が操作部１１１に対して入力された場合、この操作を受け付けた際に基準始点領域Ｒ１２に表示されているアプリアイコンに対応するアプリケーションの起動を指示する起動操作を受け付けたと判定する。操作内容判定部１２１は、最初に基準始点領域Ｒ１２に位置するアプリアイコンがタッチ操作等により指定された場合、この指定されたアプリアイコンに対して、基準始点領域Ｒ１２から第１の方向Ｈに向かう操作が与えられたことにより、指定されたアプリアイコンに対応するアプリケーションの起動を指示する起動操作を受け付けたことを判定してもよい。
【００６４】
この起動操作を受け付けた際の制御部１０２の処理動作について具体的に説明する。
ロック解除用画面において、アプリアイコン表示領域Ｒ１に表示されているアプリアイコンのうち、基準始点領域Ｒ１２に位置しているアプリアイコンがユーザによって例えばタッチ操作により指定される。このとき、ユーザが指定したいアプリアイコンが基準始点領域Ｒ１２に位置していない場合、ユーザは、スライド操作やフリック操作等によって、アプリアイコン表示領域Ｒ１に表示されているアプリアイコンを移動させる。この操作により、指定したいアプリアイコンを基準始点領域Ｒ１２に移動させることができる。
次いで、基準始点領域Ｒ１２を始点として、指定したアプリアイコンに対して第１の方向に向かって操作手段（ユーザの指）を移動させる操作が入力された場合について説明する。例えば、タッチ操作によって指定したアプリアイコンを基準始点領域Ｒ１２から第１の方向Ｈに向かって振り払うフリック操作が入力される。あるいは、タッチ操作によって指定したアプリアイコンを基準始点領域Ｒ１２から第１の方向Ｈに向かって起動操作確定アイコンＱ１０まで移動させるスライド操作が入力される。
この場合、操作内容判定部１２１は、指定されたアプリアイコンに対応するアプリケーションの実行を指示する操作が入力されたことを判定する。そして、操作内容判定部１２１は、情報処理部１２３に対して、判定結果を示す信号を出力する。
【００６５】
そして、情報処理部１２３は、指定されたアプリケーションのプログラムを記憶部１０３から読み出し、実行する。この情報処理部１２３は、実行した情報処理結果を表示制御部１２２に出力する。
表示制御部１２２は、情報処理部１２３から入力を受け付けた情報処理結果に基づき、情報処理結果を示す画像を表示部１１２に表示させる。
これにより、表示部１１２に表示されているロック解除用画面は、指定されたアプリアイコンに対応する情報処理結果を表示する表示画面に遷移する。
【００６６】
（ステップＳＴ６）
操作内容判定部１２１は、ステップＳＴ５において、起動操作を受け付けたことを判定した場合、設定情報記憶領域１３３にアプリケーション起動時にロック機能を解除することを示すフラグ情報が格納されているか否かを判定する。
【００６７】
（ステップＳＴ７）
設定情報記憶領域１３３にアプリケーション起動時にロック機能を解除することを示すフラグ情報が格納されている場合、操作内容判定部１２１は、指定されたアプリケーションを起動するとともにロック機能を解除する操作を受け付けたことを判定する。そして、操作内容判定部１２１は、情報処理部１２３に対して、指定されたアプリアイコンに対応するアプリケーションの実行を指示する制御信号を出力するとともに、ロック状態において制限されていた領域に対する操作の入力制限を解除する。
【００６８】
（ステップＳＴ８）
設定情報記憶領域１３３にアプリケーション起動時にロック機能を解除することを示すフラグ情報が格納されていない場合、操作内容判定部１２１は、指定されたアプリケーションを起動することを判定する。言い換えると、アプリケーション起動時にロック機能を解除しないことを示すフラグ情報が格納されている場合、操作内容判定部１２１は、指定されたアプリケーションを起動することを判定する。そして、操作内容判定部１２１は、情報処理部１２３に対して、指定されたアプリアイコンに対応するアプリケーションの実行を指示する制御信号を出力する。つまり、この場合、操作内容判定部１２１は、ロック状態を維持したままである。
【００６９】
（ステップＳＴ９）
ステップＳＴ５において、操作内容判定部１２１は、起動操作を受け付けたことを判定していない場合、ロック解除操作を受け付けたか否かを判定する。本実施形態において、操作内容判定部１２１は、操作アイコンＱ１１がタッチ操作等により指定されたまま、ロック解除操作確定アイコンＱ１２まで移動させるスライド操作が入力された場合、ロック機能を解除するロック解除操作を受け付けたことを判定する。
【００７０】
（ステップＳＴ１０）
操作内容判定部１２１は、ロック状態において制限されていた領域に対する操作の入力制限を解除する。
【００７１】
（ステップＳＴ１１）
操作内容判定部１２１は、ロック解除操作を受け付けたことを判定していない場合、マナーモード設定操作を受け付けたか否かを判定する。本実施形態において、操作内容判定部１２１は、操作アイコンＱ１１がタッチ操作等により指定された状態で、マナーモード設定操作確定アイコンＱ１３まで移動させるスライド操作が入力された場合、マナーモードを設定するマナーモード設定操作を受け付けたことを判定する。
【００７２】
（ステップＳＴ１２）
操作内容判定部１２１は、情報処理部１２３に対して、マナーモードの設定を指示する制御信号を出力する。
【００７３】
図面を参照した説明は省略するが、ステップＳＴ２において、ロック状態におけるセキュリティー設定がオンであることを示すフラグ情報が記憶部１０３に格納されていると判定された場合、ステップＳＴ５、ステップＳＴ９、ステップＳＴ１１において、それぞれ起動操作、ロック解除操作、マナーモード設定操作を受け付けたと判定された場合（ＹＥＳ）、表示制御部１２２は、例えば認証画面２０１を表示部１１２に表示させる。
そして、認証部１２５が、認証画面２０１に入力される操作に基づき、入力されたパターンが予め登録されているパターンと一致するか否かを判定する。それらのパターンが一致した場合、認証部１２５は、認証されたことを示す情報を表示制御部１２２と情報処理部１２３に出力する。
これにより、情報処理部１２３は、その次の処理に進むとともに、表示制御部１２２が表示画面を情報処理部１２３の情報処理結果に応じた画像に変更する。
【００７４】
［第２実施形態］
本発明の実施系形態に係る携帯端末１は上記構成に限られず、例えば、図９、１０に示すようなロック解除用画面を表示してもよい。
図９には、本発明の第２実施形態に係るロック解除用画面の一例を示す図である。図９に示す通り、第２実施形態は、第１実施形態に比べて、ロック解除操作画面領域Ｒ３に表示されている画像が異なる点と、マナーモード設定操作画面領域Ｒ４が設定されていない点が異なる。第２実施形態は、その他の部分については、第１実施形態と同様であるため、詳細な説明は省略する。
図９に示す通り、ロック解除操作を受け付けるロック解除操作画面領域Ｒ３の一方の端にロック解除アイコンＱ１４が表示され、他方の端にエンドマークＱ１５が表示されている。
このロック解除アイコンＱ１４とエンドマークＱ１５との間には、直線的な操作内容を示すための操作軌跡表示エリアＱ１６が表示されている。
本実施形態において、ロック解除操作は、ロック解除アイコンＱ１４をタッチ操作等により指定した状態のまま、このロック解除アイコンＱ１４をエンドマークＱ１５まで、操作軌跡表示エリアＱ１６に沿って、直線的に移動させる動作である。
【００７５】
図１０には、本実施形態に係るロック解除用画面において決められている操作領域の一例を示す図である。
図１０に示す通り、本実施形態に係るロック解除用画面において、起動操作の方向性Ｄ１（第１の方向Ｈ）の方向と、ロック解除操作の方向性Ｄ２（第４の方向Ｗ）の方向とは、直交する。つまり、第１の方向Ｈと第４の方向Ｗは、交差する。本実施形態においては、起動操作の軌跡とロック解除操作の軌跡とが、ロック解除用画面において交差する位置関係になるように起動操作画面領域Ｒ２とロック解除操作画面領域Ｒ３とが位置されている。
このように、起動操作の方向性Ｄ１（第１の方向Ｈ）と、ロック解除操作の方向性Ｄ２（第４の方向性Ｗ）とが、それぞれ異なる方向性の操作であることを携帯端末１の記憶部１０３に登録しておく。これにより、操作内容判定部１２１は、ロック解除用画面において入力される起動操作とロック解除操作とをそれぞれ区別して認識することができる。また、起動操作とロック解除操作とを、方向性のある操作としている。これにより、操作内容判定部１２１は、ロック解除用画面において誤って入力される誤操作と区別して、より明確に、起動操作であるか、あるいは、ロック解除であるかを判定することができる。本実施形態において、起動操作とロック解除操作の動きとして、このように誤操作される可能性の低い動きを登録することにより、誤操作による誤動作を防止することができる。
また、ユーザは、起動操作やロック解除操作を入力する場合、アイコンに対してロック解除用画面に表示されている確定アイコンや操作方向を示す画像に従って、それぞれ明確に区別された操作であってかつ操作態様の似ている操作（互いに方向が異なる移動操作）を行うだけで良い。これにより、機能の起動の操作とロックの解除操作を、ユーザが混乱することなくかつ容易に行うことができる。
ロック解除操作は、第４の方向Ｗに向かって操作手段を移動させる操作であればよい。例えば、ロック解除操作は、指定しているロック解除アイコンＱ１４を指定している操作手段を第４の方向Ｗの方向に振り払うフリック操作であってもよい。また、ロック解除操作は、指定しているロック解除アイコンＱ１４をロック解除操作確定アイコンＱ１２まで移動させるスライド操作であってもよい。
【００７６】
［第３実施形態］
本発明の実施系形態に係る携帯端末１は、上記構成に限られず、例えば、以下のような構成であってもよい。
例えば、表示制御部１２２は、コンテンツ画像表示領域Ｒ５やアプリ情報表示領域Ｒ６に、タイマー１０６から入力される計時情報に基づき、現在の日時を示す情報を表示してもよい。表示制御部１２２は、起動操作確定アイコンＱ１０が表示されている領域に、この起動操作確定アイコンＱ１０に替えて、現在の日時を示す情報を表示してもよい。
このような構成にすることにより、ユーザは、現在の日時情報を確認することができるとともに、基準始点領域Ｒ１２に位置されているアプリアイコンを移動させる第１の方向Ｈの方向性を知ることができる。また、このアプリアイコンのスライド操作の終点を知ることができる。これにより、ユーザは、起動操作の内容をロック解除用画面から視覚的に認識することができ、意図的に起動操作を入力することができる。
【００７７】
起動操作確定アイコンＱ１０に替えて、現在の日時を示す情報を表示する場合において、表示制御部１２２は、基準始点領域Ｒ１２に位置されているアプリアイコンが指定された場合、あるいは、基準始点領域Ｒ１２に位置されているアプリアイコンに対して現在の日時情報が表示されている位置に向かう操作が与えられた場合、現在の日時情報を非表示にしてもよい。
この場合、表示制御部１２２は、基準始点領域Ｒ１２に位置されているアプリアイコンが指定された場合、現在の日時を示す情報に替えて起動操作確定アイコンＱ１０を表示してもよい。
このような構成にすることにより、ユーザが必要なときに時刻情報を容易に確認できるとともに表示領域を節約することができる。さらには、起動操作の対象となるアプリアイコンに対して操作が与えられた場合、起動操作の方向性Ｄ１（第１の方向Ｈ）を示す位置の画像を変更することにより、画像が変更した領域（つまり、非表示になった時刻情報を表示していた領域）が移動操作の移動先であることを表示することができる。これにより、アプリアイコンに対して次に行うべき移動操作の移動先をユーザが容易に認知することができる。
【００７８】
［第４実施形態］
本発明の施系形態に係る携帯端末１は、上記構成に限られず、例えば、以下のような構成であってもよい。
例えば、表示制御部１２２は、アプリアイコン表示領域Ｒ１に表示されるアプリアイコンを、このアプリアイコン表示領域Ｒ１を含むより広い領域に表示させてもよい。この表示例を図１１に示す。
図１１に示す通り、電源がＯＮされてロック解除用画面が表示された場合、表示制御部１２２は、アプリアイコン表示領域Ｒ１に表示されるアプリアイコンが、アプリアイコン表示領域Ｒ１を含むより広い領域にアプリアイコンが浮遊しているようなアニメーションの画像を表示させる。アプリアイコンが浮遊している様子を表示するアニメーションの画像が表示されている領域に例えばタッチ操作が入力された場合、表示制御部１２２は、図３に示したようなアプリアイコンが整列してアプリアイコン表示領域Ｒ１に表示されている画像を表示部１１２に表示させる。
このように、アプリアイコンが浮遊しているようなアニメーションの画像が表示部１１２に表示されることにより、ユーザを視覚的に楽しませることができる。
【００７９】
本実施形態において、操作部１１１と表示部１１２は、タッチパネル１０１に含まれる構成であると説明したが、本発明の実施系形態はこれに限られない。例えば、表示部１１２がタッチセンサを搭載していないディスプレイであって、操作部１１１がマウスやキーボード、ボタン等の操作手段であってもよい。
【００８０】
本実施形態に係る情報処理装置は、内部にコンピュータシステムを有している。動作の過程は、プログラムの形式でコンピュータ読み取り可能な記録媒体に記憶されている。このプログラムをコンピュータシステムが読み出して実行することによって、上記処理が行われる。ここでいう「コンピュータシステム」とは、ＣＰＵ及び各種メモリやＯＳ、周辺機器等のハードウェアを含む。
「コンピュータシステム」は、ＷＷＷシステムを利用している場合であれば、ホームページ提供環境（あるいは表示環境）も含む。
【００８１】
各ステップを実現するためのプログラムをコンピュータ読み取り可能な記録媒体に記録して、また、この機能を実現するためのプログラムをコンピュータ読み取り可能な記録媒体に記録して、この記録媒体に記録されたプログラムをコンピュータシステムに読み込ませ、実行することにより、検出対象物の形状情報の推定値を算出する処理を行ってもよい。
「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００８２】
「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含む。
上記プログラムは、このプログラムを記憶装置等に格納したコンピュータシステムから、伝送媒体を介して、あるいは、伝送媒体中の伝送波により他のコンピュータシステムに伝送されてもよい。プログラムを伝送する「伝送媒体」は、インターネット等のネットワーク（通信網）や電話回線等の通信回線（通信線）のように情報を伝送する機能を有する媒体のことをいう。
上記プログラムは、前述した機能の一部を実現するためのものであっても良い。
前述した機能をコンピュータシステムに既に記録されているプログラムとの組合せで実現できるもの、いわゆる差分ファイル（差分プログラム）であっても良い。
【００８３】
本発明の実施系形態に係る情報処理装置の最小の構成要素は、表示画面を表示する表示部と、前記表示部の表示画面に対する指定操作を受け付ける操作部と、前記操作部に対する予め決められた指定操作を禁止するロック機能が有効である状態において、前記ロック機能の解除要求に基づいて、予め決められた情報処理機能に対応する指標を含むロック解除用画面を前記表示部に表示させるとともに、前記指標に対する指定操作を受け付ける状態に前記操作部を制御する制御部である。この構成を図１２に示す。
【００８４】
上記の実施形態の一部又は全部は、以下の付記のようにも記載され得るが、以下には限られない。
【００８５】
（付記１）表示画面を表示する表示部と、前記表示部の表示画面に対する指定操作を受け付ける操作部と、前記操作部に対する予め決められた指定操作を禁止するロック機能が有効である状態において、前記ロック機能の解除要求に基づいて、予め決められた情報処理機能に対応する指標を含むロック解除用画面を前記表示部に表示させるとともに、前記指標に対する指定操作を受け付ける状態に前記操作部を制御する制御部と、を備え、前記制御部は、前記操作部を介して前記ロック解除用画面に入力される前記ロック機能の解除を示す指定操作を受け付けた場合に前記ロック機能を解除するロック解除操作が入力されたことを判定し、前記制御部は、前記操作部を介して前記指標に対する前記情報処理機能の実行を示す指示操作を受け付けた場合に前記指標に対応する情報処理機能の起動操作が入力されたことを判定する情報処理装置。
【００８６】
（付記２）前記ロック解除用画面は、第１の操作画面領域と、前記第１の操作画面領域と少なくとも一部が異なる第２の操作画面領域とを含み、前記制御部は、前記第１の操作画面領域に対する操作を検出した場合、前記起動操作が入力されたことを判定し、前記制御部は、前記第２の操作画面領域に対する操作を検出した場合、前記ロック解除操作が入力されたことを判定する付記１に記載の情報処理装置。
【００８７】
（付記３）前記制御部は、前記ロック解除用画面に対して第１の方向に操作体を向ける動きを前記操作部が検出した場合、前記起動操作が入力されたことを判定し、前記制御部は、前記ロック解除用画面に対して前記第１の方向と異なる第２の方向に前記操作体を向ける動きを前記操作部が検出した場合、前記ロック解除操作が入力されたことを判定する付記１または２に記載の情報処理装置。
【００８８】
（付記４）前記制御部は、前記指標に対する前記起動操作が入力された場合、前記指標に対応する前記情報処理機能を実行するとともに、前記ロック機能を解除する付記１から３のうちいずれか一項に記載の情報処理装置。
【００８９】
（付記５）前記制御部は、前記ロック解除用画面において予め決められた基準始点領域に前記指標が位置している状態において前記指標が指定され、前記指定された指標に対して予め決められた方向に操作体を向ける動きを前記操作部が検出した場合、前記起動操作が入力されたことを判定する付記１から４のうちいずれか一項に記載の情報処理装置。
【００９０】
（付記６）前記制御部は、前記ロック解除用画面において予め決められた始点から終点まで前記指標を直線的に移動させる動きを前記操作部が検出した場合、前記起動操作が入力されたことを判定する付記１から５のうちいずれか一項に記載の情報処理装置。
【００９１】
（付記７）前記制御部が起動操作と判定する操作の軌跡と、前記制御部が前記ロック解除操作と判定する操作の軌跡とが、交差する位置関係である付記１から６のうちいずれか一項に記載の情報処理装置。
【００９２】
（付記８）前記表示部の前記ロック解除用画面は、前記指標に対応する前記情報処理機能に関連する関連情報を表示する付記１から７のうちいずれか一項に記載の情報処理装置。
【００９３】
（付記９）前記制御部は、前記指標に対して前記起動操作が入力された場合、前記指標に対応する情報処理機能の実行を許可された利用者であることを証明する認証情報を参照して、前記ロック解除用画面に入力される操作が前記利用者による操作であることの認証を行う付記１から７のうちいずれか一項に記載の情報処理装置。
【００９４】
（付記１０）前記制御部は、前記指標に対して前記起動操作が入力された場合に前記認証処理を実行することが予め決められている場合、前記ロック解除用画面に表示される情報の一部を制限する付記９に記載の情報処理装置。
【００９５】
（付記１１）前記制御部は、前記指標に対して前記起動操作が入力された場合に前記認証を実行することが予め決められている場合、前記指標の表示態様を前記指標に対応する前記情報処理機能の内容に関連する情報を制限する表示態様に変更する付記９あるいは１０に記載の情報処理装置。
【００９６】
（付記１２）前記制御部は、前記ロック解除用画面に表示されている前記指標に対して予め決められた方向に操作体を向ける動きを前記起動操作として入力する場合、前記指標からみて前記予め決められた方向に前記予め決められた方向を示す表示をする付記１から１１のうちいずれか一項に記載の情報処理装置。
【００９７】
（付記１３）前記制御部は、前記指標に対して予め決められた方向に操作体を向ける動きを検出した場合、前記予め決められた方向を示す表示を非表示にする付記１２に記載の情報処理装置。
【００９８】
（付記１４）前記制御部は、前記予め決められた方向を示す表示として、前記指標からみて前記予め決められた方向に現在の時刻を示す情報である付記１３に記載の情報処理装置。
【００９９】
（付記１５）前記制御部は、記憶部に記憶されているコンテンツの画像あるいは動画像を前記ロック解除用画面に表示させる付記１から１４のうちいずれか一項に記載の情報処理装置。
【０１００】
（付記１６）前記制御部は、複数の前記指標が浮遊している様子を表示するアニメーションを前記ロック解除用画面に表示させる付記１から１５のうちいずれか一項に記載の情報処理装置。
【０１０１】
（付記１７）表示部の表示画面に対する指定操作を受け付ける操作部に対する指定操作を禁止するロック機能が有効である状態において、前記ロック機能の解除要求に基づいて、予め決められた情報処理機能に対応する指標を含むロック解除用画面を前記表示部に表示させ、前記操作部を介して前記ロック解除用画面に入力される前記ロック機能の解除を示す指定操作を受け付けた場合に前記ロック機能を解除するロック解除操作が入力されたことを判定し、前記操作部を介して前記指標に対する前記情報処理機能の実行を示す指示操作を受け付けた場合に前記指標に対応する情報処理機能の起動操作が入力されたことを判定する、ことを備える情報処理方法。
【０１０２】
（付記１８）コンピュータを、表示画面を表示する表示部、前記表示部の表示画面に対する指定操作を受け付ける操作部、前記操作部に対する指定操作を禁止するロック機能が有効である状態において、前記ロック機能の解除要求に基づいて、予め決められた情報処理機能に対応する指標を含むロック解除用画面を前記表示部に表示させるとともに、前記指標に対する指定操作を受け付ける状態に前記操作部を制御し、前記ロック解除用画面を表示している状態において前記操作部を介して前記ロック機能の解除を示す指定操作を受け付けた場合に前記ロック機能を解除するロック解除操作が入力されたことを判定し、前記ロック解除用画面を表示している状態において前記操作部を介して前記指標に対する前記情報処理機能の実行を示す指示操作を受け付けた場合に前記指標に対応する情報処理機能の起動操作が入力されたことを判定する制御部として機能させるための情報処理プログラム。
以上、実施形態を参照して本願発明を示し説明したが、本願発明は上記実施形態に限定されない。当業者であれば、クレームによって画定される本願発明の範囲を逸脱しないで、構成や詳細に様々な変更をすることができることが理解されるであろう。
【０１０３】
この出願は、２０１２年３月６日に出願された日本国特願２０１２−０４９３２１を基礎とする優先権を主張し、その開示の全てをここに取り込む。
【産業上の利用可能性】
【０１０４】
本発明は、情報処理装置、情報処理方法、および情報処理プログラムに適用し得る。本発明に係る情報処理装置、情報処理方法、および情報処理によれば、ロック状態において予め決められた情報処理機能の起動を指示することができる。
【符号の説明】
【０１０５】
１  携帯端末  
２  無線通信網  
２Ａ  基地局  
２Ｂ  交換機  
３  他の携帯端末  
４  インターネット  
５  サーバ  
１０１  タッチパネル  
１０２  制御部  
１０３  記憶部  
１０４  音信号処理部  
１０５  無線通信部  
１０６  タイマー  
１１１  操作部  
１１２  表示部  
１２１  操作内容判定部  
１２２  表示制御部  
１２３  情報処理部  
１２４  登録部  
１２５  認証部  
１３１  プログラム記憶領域  
１３２  一時記憶領域  
１３３  設定情報記憶領域
【図１】
2013133007.tif 000003
【図２】
2013133007.tif 000004
【図３】
2013133007.tif 000005
【図４】
2013133007.tif 000006
【図５】
2013133007.tif 000007
【図６】
2013133007.tif 000008
【図７】
2013133007.tif 000009
【図８】
2013133007.tif 000010
【図９】
2013133007.tif 000011
【図１０】
2013133007.tif 000012
【図１１】
2013133007.tif 000013
【図１２】
2013133007.tif 000014
【国際調査報告】
2013133007.tif 000015
2013133007.tif 000016
2013133007.tif 000017
2013133007.tif 000018